(57)【要約】【課題】オシレータの往復動に伴う騒音発生を抑制し、外刃や本体部の振動を抑制し、オシレータおよび内刃の往復移動量を小さくする必要性をなくして切れ味や使用感の向上が図れるようにする。【解決手段】側面視略逆Ｕ字状の外刃１０の内面に摺接しつつ内刃５４が往復動する往復式電気かみそりにおいて、モータ１６を内蔵しその上部に外刃１０を保持する本体部１４と、内刃５４を外刃１０の内面に押圧しつつ保持しかつ往復動するオシレータ３０と、本体部１４側およびオシレータ３０の一方に設けられオシレータ３０を内刃５４の往復方向に案内するガイド部３４と、このオシレータ３０をモータ１６によって往復駆動する駆動部３８と、を備える。【選択図】図１
2008093237.tif 000002
【特許請求の範囲】
【請求項１】
側面視略逆Ｕ字状の外刃の内面に摺接しつつ内刃が往復動する往復式電気かみそりにおいて、
モータを内蔵しその上部に前記外刃を保持する本体部と、
前記内刃を前記外刃の内面に押圧しつつ保持しかつ往復動するオシレータと、
前記本体部側および前記オシレータの一方に設けられ前記オシレータを内刃の往復方向に案内するガイド部と、
このオシレータを前記モータによって往復駆動する駆動部と、
を備えることを特徴とする往復式電気かみそり。
【請求項２】
オシレータは回転体を介してガイド部に支持されている請求項１の往復式電気かみそり。
【請求項３】
ガイド部は本体部側に形成された内刃往復方向に長いガイド溝であり、オシレータにはこのガイド溝に案内されて転動するローラが回転自在に保持されている請求項２の往復式電気かみそり。
【請求項４】
ガイド部はオシレータの往復方向の両端付近に位置する平行な２本のガイド溝であり、オシレータの両端付近にはこれらのガイド溝に案内されて転動する２個のローラがそれぞれ保持されている請求項３の往復式電気かみそり。
【請求項５】
ガイド部はオシレータを直線上で往復動させる請求項１〜４のいずれかの往復式電気かみそり。
【請求項６】
ガイド部は円弧状に湾曲している請求項１〜４のいずれかの往復式電気かみそり。
【請求項７】
オシレータを本体部側に押圧しオシレータが前記本体部側から浮き上がるのを防ぐばねを有する請求項３の往復式電気かみそり。
【発明の詳細な説明】
【技術分野】
【０００１】
この発明は、外刃の内側で内刃を往復動させることにより顔のひげ（髭）などをそる（剃る）ために用いる往復式電気かみそりに関するものである。
【背景技術】
【０００２】
側面視略逆Ｕ字状の外刃の内面に内刃を摺接させつつ往復させることにより、外刃に設けたスリットに入った髭を内刃によってカットする往復式電気かみそりが公知である。このようなものでは、外刃が皮膚の曲面に沿って傾いたり沈み込むようにして、刃面が皮膚に密着し易くし髭の切れ味を向上させている。この場合、内刃も外刃と共に傾き、また沈み込むようにしている。
【０００３】
【特許文献１】特開２００４−３４０３８号
【０００４】
ここに内刃を往復動させるために、内刃の往復方向に往復動するオシレータを本体に設け、このオシレータに内刃を外刃内面に向かって付勢する状態で保持している。従来は特許文献１に示すように、このオシレータの往復方向の両端をＵ字状の折曲部を介して本体に吊り下げて保持している。そしてモータの回転軸に対して偏心するピン（偏心ピン）をリンクでオシレータに連結してオシレータを加振するものである。
【０００５】
図８は従来のオシレータの支持構造を示す図である。この図８において符号１は本体部、２は電気モータ、３は樹脂製のオシレータである。オシレータ３は中央の可動部３Ａの両端にＵ字状の薄い折曲部３Ｂを持ち、両折曲部３Ｂの端を本体部１の台部１Ａに固定したものである。すなわちオシレータ３はその両端を折曲部３Ｂで本体部１に吊った状態で往復動可能である。
【０００６】
モータ２はオシレータ３の中央下方に収容した駆動部４を介してオシレータ３を図８で左右方向に加振する。ここに駆動部４は、モータ２により回転される偏心ピン４Ａをリンク４Ｂによりオシレータ３に連結したものである。このためモータ２により偏心ピン４Ａ、リンク４Ｂを介してオシレータ３の可動部３Ａが往復振動する。
【発明の開示】
【発明が解決しようとする課題】
【０００７】
このように従来のオシレータは両端をＵ字状の折曲部で本体部に吊っているため、これを加振した時には、オシレータの両端はそれぞれ上下に運動することが避けられない。この上下動はオシレータに保持された内刃を上下あるいは傾ける方向に加振することになる。このため手に持った電気かみそりの本体部の振動が大きくなり、また内刃の振動が外刃を通して髭剃り中の皮膚に伝わる。またこの振動はオシレータの往復移動量（ストローク）が大きくなるほど大きくなる。
【０００８】
このようなオシレータや内刃の振動は騒音発生の原因となり、外刃や本体部の振動は使用者の手や皮膚に不快感を与えることになる。またこの振動を抑制するためにオシレータの往復移動量を小さくすることも考えられるが、このようにすると、髭の切れ味や使用感が低下するという問題があった。
【０００９】
この発明はこのような事情に鑑みなされたものであり、オシレータの往復動に伴う騒音発生を抑制し、外刃や本体部の振動を抑制し、オシレータおよび内刃の往復移動量を小さくする必要性をなくして切れ味や使用感の向上が図れるようにした往復式電気かみそりを提供することを目的とするものである。
【課題を解決するための手段】
【００１０】
この発明によればこの目的は、側面視略逆Ｕ字状の外刃の内面に摺接しつつ内刃が往復動する往復式電気かみそりにおいて、モータを内蔵しその上部に前記外刃を保持する本体部と、前記内刃を前記外刃の内面に押圧しつつ保持しかつ往復動するオシレータと、前記本体部側および前記オシレータの一方に設けられ前記オシレータを内刃の往復方向に案内するガイド部と、このオシレータを前記モータによって往復駆動する駆動部と、を備えることを特徴とする往復式電気かみそりにより達成される。
【発明の効果】
【００１１】
オシレータはガイド部に案内されて内刃の往復方向に往復動する。ここに内刃は外刃の内面に密着しながら往復するから、ガイド部の内刃案内方向は外刃の内面に対応することになる。このためオシレータは往復動に伴って外刃に対して全く上下動することがなく、騒音発生を抑制することができる。また本体部や外刃の髭剃り面に加わる振動も抑制され、使用感が向上する。さらに騒音や振動が小さくなるので、オシレータおよび内刃の往復移動量（ストローク）を大きくすることができ、切れ味の向上が可能である。
【発明を実施するための最良の形態】
【００１２】
オシレータがガイド部に案内されて往復動する際の抵抗はできるだけ小さくするのが望ましいのは勿論であり、そのためにはオシレータとガイド部との間に回転体を介在させるのがよい（請求項２）。ここに用いる回転体は、ボール、ニードル、ローラなどが使用できる。
【００１３】
ガイド部は本体部側に設けた内刃往復方向に長いガイド溝とし、オシレータにこのガイド溝に案内されて転動するローラを回転自在に保持するように構成することができる（請求項３）。ローラに代えてボールやニードルを用いる場合には、ガイド部とオシレータとが対向するそれぞれの面（対向面）の少なくとも一方にこれらボールやニードルが転動する溝（ガイド溝）を形成すればよい。
【００１４】
ガイド部はオシレータの両端付近にそれぞれ位置し１つのオシレータに対して平行な２本のガイド溝とし、オシレータのそれぞれの端付近にはこれら２本のガイド溝に係入する２個のローラを回転自在に保持することができる（請求項４）。この場合にはオシレータが往復方向（例えば左右方向）に対して直交する方向（例えば前後方向）に倒れることがなく、オシレータは安定した姿勢で往復動することになる。
【００１５】
ガイド部は本体部側に設け、オシレータにローラを保持するのがよいが、反対にしてもよい。すなわちオシレータにガイド部を設け本体部側にローラなどの回転体を保持してもよい。
【００１６】
ガイド部はオシレータを直線上で往復動させるものとすることができる（請求項５）。すなわち外刃の上縁が正面視（内刃往復方向に対して直交する正面側から見て）水平な直線状の場合には内刃もこの直線と平行に往復動すればよく、オシレータも直線上で往復すればよい。しかし外刃の上縁が正面視で上方へ凸な内弧状（アーク状）に湾曲している場合には、内刃もこの円弧に沿って往復動するのが望ましい（請求項６）。
【００１７】
オシレータはばねによって本体側に付勢した状態で往復動させれば、オシレータが往復動中に本体側から浮き上がることがなく、安定した動作が得られる（請求項７）。例えばガイド溝を本体部側に設ける場合は、ばねはオシレータをガイド溝に押圧するようにする。反対にガイド溝をオシレータに設ける場合は、ばねはオシレータを本体部側あるいは本体部側に設けた回転体に押圧する。ここに本体部側は本体部に固定される外刃ケースを含み、この場合オシレータは外刃ケースに設けたガイド部あるいは回転体に対して下から押上げられ案内される。
【実施例１】
【００１８】
図１はこの発明の一実施例のヘッド部を一部断面して示す正面図、図２は要部の分解斜視図、図３は図２におけるIII-III線付近を一部省いて示す側断面図、図４は同じく一部を省いて各部の配置を示す右側面図、図５は一方のオシレータを示す正面図、図６は内刃の支持構造を示す分解斜視図、図７は図１におけるVII-VII線断面図である。なお図１は一部を図２におけるＩ−Ｉ線で断面したものであり、また図６，７はオシレータの下部を省いて示している。
【００１９】
図１において１０は外刃であり、多数の小孔を形成した薄い金属板をアーチ状に湾曲して側面視略逆Ｕ字状に形成したものである。この外刃１０はヘッドカバー１２に収容され、その上縁を含む一部がヘッドカバー１２から上方に突出している。なお外刃１０はヘッドカバー１２に下方から装填され、上方への脱出が規制される一方、下方へは所定量移動（沈み込み）可能である。ヘッドカバー１２を含むヘッド部は本体部１４に着脱可能または開閉可能である。
【００２０】
本体部１４内には電動モータ１６、電池、スイッチ、制御回路部品などが収容される。モータ１６の回転軸１８は本体部１４の上部中央から上方に向って垂直に起立している。回転軸１８には第１のジョイント２０が固定され、この第１のジョイント２０の上に第１の偏心ピン２２を介して第２のジョイント２４が固着され、この第２のジョイント２４の上に第２の偏心ピン２６が起立している。ここに第１および第２の偏心ピン２２，２６は回転軸１８と平行かつ回転軸１８を通る中心線２８に挟んで対称位置にする。
【００２１】
３０はオシレータである。オシレータ３０は後記するように、左右両端にローラ３２，３２を持ち、これらのローラ３２，３２は本体部１４に設けた左右一対のガイド溝３４，３４に案内されて左右に振動可能である。このオシレータ３０はその下方に収容された駆動部３８によって左右に加振される。すなわちこのオシレータ３０の下面はリンク４０によって前記第２の偏心ピン２６に連結されている。このためモータ１６の回転軸１８が回転するとリンク４０によりオシレータ３０が左右に振動する。
【００２２】
なおこのオシレータ３０に隣接して正面視同形状の他のオシレータ（図２，４参照）が同じ支持構造によって本体部１４に保持され、このオシレータはリンク４２により第１の偏心ピン２２に連結されている。この他のオシレータは図１に示されていない他の内刃を駆動するものである。
【００２３】
オシレータ３０の中央部上面には、支柱４４が起立し、この支柱４４の上端にガイド保持板４６が一体成形されている。このガイド保持板４６には左右一対のガイド４８，４８が起立している。ガイド４８，４８の上端には中心側へ突出する係合爪５０，５０が形成されている。この係合爪５０，５０は後記内刃保持台６２の脱落を防ぐ。ガイド保持板４６の中央には上方に垂直に起立する中心軸５２が植設されている。
【００２４】
５４は内刃である。内刃５４は金属板をアーチ状に湾曲して側面視略逆Ｕ字状とし、そのアーチ状の山を横断するように多数のスリット５６を加工したものである（図６，７）。この内刃５４には、対向する２つの下縁の中央から、下方へ略半円形に突出する円弧部５８，５８が形成されている。これら円弧部５８，５８の対向面には一対の突起６０，６０が形成されている（図７）。
【００２５】
６２は内刃保持台である。内刃保持台６２は中央に前記中心軸５２が貫通し、この中心軸５２上で上下に摺動可能である。内刃保持台６２の下部には、前記オシレータ３０のガイド４８の外周面（内刃保持台６２との対向面およびその両側面）に係合する３つのガイド爪６４が左右に２組形成されている。内刃保持台６２はガイド爪６４をガイド４８に係合させることにより中心軸５２回りの回動が規制される。なおガイド爪６４とガイド４８は内刃保持台６２の上下動は許容する。
【００２６】
内刃保持台６２の上部には、内刃５４の一対の円弧部５８，５８の内側へ下方から進入する一対の起立壁６６，６６が形成されている。これら起立壁６６，６６の外側面には上方に広がるガイド溝６８，６８が形成され、ガイド溝６８，６８の下部が起立壁６６，６６の厚さ方向に陥没する凹部７０，７０となっている。従って突起６０，６０をガイド溝６８，６８に上方から位置合せしつつ内刃５４の円弧部５８，５８の間に内刃保持台６２の起立壁６６，６６を押し込むことにより、内刃５４の突起６０，６０を内刃保持台６２の凹部７０，７０に係合させることができる。
【００２７】
突起６０および凹部７０は図１に示すように径方向の遊びが小さい円形であり、内刃５４はこの凹部７０を中心にして揺動する。すなわち突起６０，６０、凹部７０，７０の中心を通る直線７２（図７）は内刃５４の往復方向に対して直交する直線であり、この直線７２は内刃５４の揺動支点となる。このため内刃５４はこの直線７２を支点として揺動可能である。
【００２８】
内刃保持台６２とガイド保持台４６との間には、中心軸５２を挟んでコイルばね７４が縮装されている。ガイド４８を３方から囲む内刃保持台６２の３つの爪６４のうち中央の爪６４Ａはガイド４８の上端に設けた係合爪５０に下方から係合する（図１）。この結果内刃保持台６２はコイルばね７４により上方へ付勢され、中央の爪６４Ａが係合爪５０に係合して上方への脱落が防止される。なお図１は爪６４Ａと係合爪５０が当接した状態、すなわち外刃１０を取外した状態を示すが、実際に外刃１０を装填した時には外刃１０により内刃５４が下方へ押し込まれ、コイルばね７４を圧縮し爪６４Ａが係合爪５０から離れる。
【００２９】
内刃保持台６２と中心軸５２との摺動部について説明する。中心軸５２が貫通する内刃保持台６２の貫通孔７６は、正面から見て（図１）その上縁が内刃５４の揺動支点７２とほぼ同じ高さに位置する。すなわち内刃５４の往復方向から中心軸５２に摺接する摺動長Ａ（図１）はその上縁が揺動支点７２付近にあって下方に十分長い。このため内刃保持台６２が内刃往復方向へ傾くのが防止される。
【００３０】
また内刃保持台６２の起立壁６６と中心軸５２との間には、上方に開く深い溝７８，７８（図７）が形成されている。このため側面から見て（図７）内刃保持台６２の下部だけで中心軸５２に摺接することになり、側面視では内刃往復方向に直交する方向の摺動長Ｂが短くなる。このため内刃保持台６２は内刃往復方向に直交する方向には傾き易くなり、内刃５４は外刃１０に追従して両者の密着性を良好とし、髭の切れ味を向上させることができる。
【００３１】
次にオシレータ３０の支持構造を図１〜５を用いて説明する。オシレータ３０は下端に板部１００を持ち、この板部１００の両端に図２，５に示すように一対のローラ３２が保持されている。すなわち板部１００の両端面にはローラ軸１０２を保持するための保持腕１０４が突設されている。なお板部１００の下面には周縁を残して内部の肉を薄くすることにより軽量化を図る、いわゆる肉盗み処理が施されている。ローラ３２はこの保持腕１０４に水平に保持されたローラ軸１０２の両端に回転自在に取付けられている。
【００３２】
本体部１４には、前記駆動部３８を挟んで左右両側にそれぞれ４本ずつのガイド溝３４が形成されている。すなわち各オシレータ３０の両端にそれぞれ２個ずつ保持した合計４つのローラ３２が、１つのオシレータ３０に対して左右２本ずつで合計４本のガイド溝３４に係入する。各ローラ３２はそれぞれのガイド溝３４に係入し、ガイド溝３４に案内されつつ転動する。ここに各ガイド溝３４は内刃５４の往復方向と平行、すなわち共通な平面上にある。このためオシレータ３０はこの平面と平行な平面上で往復動する。
【００３３】
本体部１４には、各オシレータ３０に対して、両端の２本のガイド溝３４，３４の間に引っ張りコイルばね１０８を通す窓１１０（図２，３）が形成され、このばね１０８の上端がオシレータ３０の２つのローラ３２の間でローラ軸１０２に係止され、下端が本体部１４に設けた突起１１２に係止されている。この結果オシレータ３０の両端はこのばね１０８，１０８によって下方に弾力的に引っ張られる。従ってローラ３２はガイド溝３４に弾性を持って押付けられ、オシレータ３０の浮き上がりが防止される。
【００３４】
次のこの実施例の動作を説明する。モータ１６の回転軸１８が回転すると、駆動部３８によりオシレータ３０が往復動する。この時オシレータ３０は、その板部１００の両端に保持したローラ３２を本体部１４に設けたガイド溝３４に係合させてガイド溝３４に沿って（案内されて）水平に移動する。全てのガイド溝３４は共通の水平面上に位置するので、オシレータ３０は上下動することなく水平方向に往復動する。このため内刃５４は外刃１０の内面に沿って円滑に往復動することになり、オシレータ３０の往復動に伴う騒音や振動の発生が抑制される。
【図面の簡単な説明】
【００３５】
【図１】本発明の一実施例のヘッド部を一部断面した正面図
【図２】要部の分解斜視図
【図３】図２におけるIII-III線付近を一部省略して示す側断面図
【図４】同じく一部を省いて各部の配置を示す右側面図
【図５】一方のオシレータを示す正面図
【図６】内刃の支持構造を示す分解斜視図
【図７】図１におけるVII-VII線側断面図
【図８】従来構造を示す正面図
【符号の説明】
【００３６】
１０  外刃
１４  本体部
１６  電動モータ
３０  オシレータ
３２  ローラ（回転体）
３４  ガイド溝（ガイド部）
３８  駆動部
５４  内刃
１０８  ばね
【図１】
2008093237.tif 000003
【図２】
2008093237.tif 000004
【図３】
2008093237.tif 000005
【図４】
2008093237.tif 000006
【図５】
2008093237.tif 000007
【図６】
2008093237.tif 000008
【図７】
2008093237.tif 000009
【図８】
2008093237.tif 000010